(57)【特許請求の範囲】
【請求項１】
外周に成形面を有する内型と、内周に成形面を有し、周方向において複数個の分割型に分割されてなる外型とを備え、上記外型の分割型を周方向に相隣る分割型同士が接続するように半径方向内方に移動することにより上記内型上のベルトスラブを半径方向に挟圧して該ベルトスラブを所定形状に成形するようにした分割式ベルトスラブ成形型を設計する分割式ベルトスラブ成形型の設計方法であって、
上記外型の分割型について、周方向に相隣る分割型同士の接続部に半径方向においてそれぞれ対応する上記ベルトスラブ上の複数の不均一部位間のベルト周長方向における全ての隣接間隔寸法を、上記ベルトスラブから得られる伝動ベルトに組み合わせて使用される複数のプーリのうち、対象とされる少なくとも１つのプーリのプーリピッチ周長と異なるように定める
ことを特徴とする分割式ベルトスラブ成形型の設計方法。
【請求項２】
請求項１記載の分割式ベルトスラブ成形型の設計方法において、
外型を、周方向において等分に分割することとし、
上記外型の分割型の個数を、伝動ベルトのベルトピッチ周長を対象プーリのプーリピッチ周長で除算して得られる値に最も近い整数を除く任意の整数に定める
ことを特徴とする分割式ベルトスラブ成形型の設計方法。
【請求項３】
請求項１記載の分割式ベルトスラブ成形型の設計方法において、
外型を、周方向において等分に分割することとし、
対象プーリは、プーリピッチ周長が可変である変速プーリであり、
上記外型の分割型の個数を、伝動ベルトのベルトピッチ周長を上記対象変速プーリのプーリピッチ周長の最大値で除算して得られる値と、最小値で除算して得られる値との間の範囲以外の任意の整数に定める
ことを特徴とする分割式ベルトスラブ成形型の設計方法。
【請求項４】
請求項１記載の分割式ベルトスラブ成形型の設計方法において、
外型を、周方向において不等分に分割する
ことを特徴とする分割式ベルトスラブ成形型の設計方法。
【発明の詳細な説明】
【０００１】
【発明の属する技術分野】
本発明は、外型が複数個の分割型に分割されてなる分割式ベルトスラブ成形型の設計方法に関し、特に分割型同士の接続部によりベルトスラブ上に生じる不均一部位に起因するベルト走行騒音を低減する対策に関する。
【０００２】
【従来の技術】
近年では、ベルト式無段変速装置に用いられるブロックベルトの張力帯や、両面歯付ベルト、Ｖリブドベルトなど、種々の伝動ベルトの製造過程において、伝動ベルトを得るための筒状のベルトスラブを所定形状に成形する際に、例えば、特許文献１などに記載されているように、外周に成形面を有する内型と、内周に成形面を有していて、周方向において複数個の分割型に分割されてなる外型とを備えた分割式ベルトスラブ成形型が用いられることは知られている。
【０００３】
上記特許文献１のものでは、全ての分割型を半径方向内方に向かって等速で前進移動させることにより、ベルトスラブを均一に加圧することができるとされている。また、周方向において相隣る分割型間には、前進移動時の分割型を案内するとともに、分割型間の隙間にベルトスラブの一部が入り込んでばりになるのを防止するための案内部材が配置されている。
【０００４】
【特許文献１】
特開２００１−９６５３５号公報（第５頁，図３）
【０００５】
【発明が解決しようとする課題】
上記のような分割式のベルトスラブ成形型の場合には、相隣る分割型同士の接続部に半径方向においてそれぞれ対応するベルトスラブ上の各部位では、ばりなどの発生を防ぐことはできるとしても、厳密には、他の部位と全く同じ条件の下に全く同じ力で加圧されるということはなく、その結果、最終的に得られた伝動ベルトでは、それが、必要とされる伝動能力や耐久性を満たしていたとしても、上記の各部位が、ベルトスラブ上の他の部位に比べて、ごく僅かであっても、不均一になることは避けられない。
【０００６】
このようなベルトスラブ上の不均一部位は、上記ベルトスラブから得られる伝動ベルトを備えたベルト伝動装置において、伝動ベルトがプーリを通過する際に発生する異音の原因にもなるものではあるが、その異音自体の騒音レベルは、比較的小さい。
【０００７】
ところで、ベルト伝動装置では、伝動ベルトの巻き掛けられるプーリが、その回転に伴い、振動騒音を発生することは知られている。この振動騒音は、プーリの１回転を１周期とするものであるが、このプーリ回転に伴う振動騒音自体の騒音レベルも、比較的小さい。
【０００８】
しかしながら、従来の設計方法で設計された分割式ベルトスラブ成形型によりベルトスラブを成形する場合には、そのベルトスラブから得られた伝動ベルト上の不均一部位により発生する異音と、プーリの回転に伴う振動騒音とが一致して共振することがあり、その場合には、ベルト走行騒音が無視できなくなり、さらには、ベルトの寿命を低下させる虞れもあるという問題がある。
【０００９】
本発明は斯かる諸点に鑑みてなされたものであり、その主な目的は、内型と、複数個の分割型からなる外型とを備えた分割式ベルトスラブ成形型を設計するに当り、周方向に相隣る分割型同士の各接続部によりベルトスラブ上に生じる不均一部位のベルト周長方向の位置をずらすことで、そのような不均一部位により発生するベルト走行時の異音と、プーリ回転に伴う振動騒音との共振を未然に防止できるようにし、もって、ベルト走行騒音の低減およびベルト寿命低下の抑制に寄与できるようにすることにある。
【００１０】
【課題を解決するための手段】
上記の目的を達成すべく、本発明では、ベルトスラブ上の不均一部位間の隣接間隔寸法を、プーリピッチ周長と異ならせるようにし、このことで、ベルト上の不均一部位による異音の発生周期と、プーリ回転に伴う振動騒音の発生周期とが一致して共振するのを回避するようにした。
【００１１】
具体的には、請求項１の発明では、外周に成形面を有する内型と、内周に成形面を有していて、周方向において複数個の分割型に分割されてなる外型とを備えており、上記外型の分割型を周方向に相隣る分割型同士が接続するように半径方向内方に移動することにより上記内型上のベルトスラブを半径方向に挟圧して該ベルトスラブを所定形状に成形するようにした分割式ベルトスラブ成形型を設計する分割式ベルトスラブ成形型の設計方法を前提としている。
【００１２】
そして、上記外型の分割型について、周方向に相隣る分割型同士の接続部に半径方向においてそれぞれ対応するベルトスラブ上の複数の不均一部位間のベルト周長方向における全ての隣接間隔寸法を、ベルトスラブから得られる伝動ベルトに組み合わせて使用される複数のプーリのうち、対象とされる少なくとも１つのプーリのプーリピッチ周長と異なるように定めることとする。尚、ここで、「プーリピッチ周長」とは、図２に例示するように、プーリ１に巻き付けられた伝動ベルト２のピッチラインＰｂ（伝動ベルト２をベルト走行面内で曲げたときに、ベルト周長方向の伸縮が生じないベルト周長方向のライン）に合致するプーリピッチラインＰｐ上の周長である。また、「対象プーリ」とは、ベルト伝動装置の複数のプーリのうち、伝動ベルトとの共振騒音を低減しようとされたプーリのことである。
【００１３】
上記の構成において、内型上に外嵌合された状態のベルトスラブに対し、外型の分割型が周方向に相隣る分割型同士を接続させるように半径方向内方に移動することにより、上記ベルトスラブは半径方向に挟圧されて所定の形状に成形される。その際に、周方向に相隣る分割型が互いに接続したときの各接続部に半径方向においてそれぞれ対応するベルトスラブ上の複数の部位では、他の部位に比べて、加圧条件や加圧力などの点で異なることから、不均一になる。
【００１４】
このとき、上記ベルトスラブ上における複数のそれら不均一部位間のベルト周長方向における全ての隣接間隔寸法Ｌが、該ベルトスラブから得られる伝動ベルトに組み合わせて使用される複数のプーリのうち、対象とされるプーリのプーリピッチ周長Ｌｐと異なる（Ｌ≠Ｌｐ）ので、伝動ベルトが対象プーリを通過するときに不均一部位により発生する異音の周期は、対象プーリの回転に伴う振動騒音の周期と異なることになる。よって、伝動ベルトの不均一部位による異音と、対象プーリの振動騒音とが共振するという事態は回避されるようになる。
【００１５】
請求項２の発明では、請求項１の発明において、外型を、周方向において等分に分割する場合に、その外型の分割型の個数として、伝動ベルトのベルトピッチ周長を、対象プーリのプーリピッチ周長で除算して得られる値に最も近い整数を除く任意の整数に定めることとする。
【００１６】
上記の構成において、外型が周方向において等分に分割される場合には、ベルトスラブ上の各不均一部位間のベルト周長方向における隣接間隔寸法Ｌは、互いに同じであって、該ベルトスラブのベルトピッチ周長Ｌｂを分割型の個数Ｚにて除算（Ｌ＝Ｌｂ／Ｚ）することで得られる。ここで、隣接間隔寸法Ｌが、対象プーリのプーリピッチ周長Ｌｐに等しい（Ｌ＝Ｌｐ）と仮定すると、分割型の個数Ｚは、Ｚ＝Ｌｂ／Ｌｐ、となり、このときに、伝動ベルトの不均一部位による異音と、対象プーリの振動騒音との共振が発生することになる。但し、Ｌｂ／Ｌｐは、一般に、整数以外の値であるので、その値に最も近い整数Ｍ（Ｍ≒Ｌｂ／Ｌｐ）が分割型の個数Ｚであるとき（Ｚ＝Ｍ）に、上記の共振は最も生じやすいことになる。
【００１７】
このとき、分割型の個数Ｚが、上記最も近い整数Ｍを除く任意の整数（Ｚ≠Ｍ）であるので、そのような外型を備えた分割式ベルトスラブ成形型により成形されたベルトスラブから得られる伝動ベルトでは、上記のような共振の発生は回避されることになる。尚、外型の分割型の個数Ｚが少ないと、外型を分割した効果が得られにくく、しかも、ベルトスラブ外周面の成形形状によっては、型抜きが困難であることから、一般には、分割型の個数Ｚは、３以上（Ｚ≧３）であることが望ましい。また、Ｌｂ／Ｌｐの値が整数であるときには、その整数を「最も近い整数Ｍ」とする。
【００１８】
請求項３の発明では、請求項１の発明において、外型を、周方向において等分に分割することとし、かつ、対象プーリが、プーリピッチ周長の可変である変速プーリである場合に、外型の分割型の個数として、伝動ベルトのベルトピッチ周長を、対象変速プーリの最大プーリピッチ周長で除算して得られる値と、最小プーリピッチ周長で除算して得られる値との間の範囲以外の任意の整数に定めることとする。
【００１９】
上記の構成において、外型が周方向において等分に分割され、かつ、対象プーリが、プーリピッチ周長の可変な変速プーリである場合には、不均一部位間の隣接間隔寸法Ｌが、対象変速プーリのプーリピッチ周長の最小値Ｌｐmin と最大値Ｌｐmax との間に含まれている（Ｌｐmin ≦Ｌ≦Ｌｐmax ）と、つまり、分割型の個数Ｚが、Ｌｂ／Ｌｐmax ≦Ｚ≦Ｌｂ／Ｌｐmin であると、プーリピッチ周長Ｌｐが隣接間隔寸法Ｌに等しく（Ｌｐ＝Ｌ）なる変速比のときに、伝動ベルトの不均一部位による異音と、対象変速プーリの振動騒音との共振が発生することになる。
【００２０】
このとき、ベルトピッチ周長Ｌｂを最大プーリピッチ周長Ｌｐmax で除算して得られる値（Ｌｂ／Ｌｐmax ）と、ベルトピッチ周長Ｌｂを最小プーリピッチ周長Ｌｐmin で除算して得られる値（Ｌｂ／Ｌｐmin ）との間の範囲（Ｌｂ／Ｌｐmax 〜Ｌｂ／Ｌｐmin ）以外の任意の整数Ｎ（Ｎ＜Ｌｂ／Ｌｐmax 、又は、Ｌｂ／Ｌｐmin ＜Ｎ）が、外型の分割型の個数（Ｚ＝Ｎ）であるので、そのような外型を備えた分割式ベルトスラブ成形型により成形されたベルトスラブから得られる伝動ベルトでは、全ての変速比において、上記の共振の発生は回避されることになる。
【００２１】
請求項４の発明では、請求項１の発明において、外型を、周方向において不等分に分割することとする。
【００２２】
上記の構成において、ベルトスラブ上の各不均一部位間のベルト周長方向における隣接間隔寸法は、外型が周方向において不等分に分割されることから、互いに異なる。よって、得られた伝動ベルトが対象プーリを通過するときに上記不均一部位により発生する異音の周期が一定でなくなるので、その周期が一定である場合に比べて、不均一部位による異音の発生自体が抑えられることとなる。
【００２３】
【発明の実施の形態】
以下、本発明の実施形態を、図面に基づいて説明する。
【００２４】
（実施形態１）
図１は、本発明の実施形態１に係る分割式ベストスラブ成形型の全体構成を模式的に示しており、この成形型は、図２に示すように、プーリピッチ周長（プーリピッチラインＰｐ上での周長）が互いに同じである２つのプーリ１，１間に掛け渡されてベルト伝動装置を構成するための伝動ベルト２を製造する過程において、筒状のベルトスラブ３を所定の形状に加硫成形する際に用いられる。
【００２５】
ベルトスラブ成形型は、断面円形状をなす内金型４と、この内金型４を取り囲むように外周側に配置された外金型５とを備えている。
【００２６】
上記内金型４の外周には、ベルトスラブ３の内周面を所定の形状に形成するための成形面が設けられている。この内金型４は中空状とされていて、内部に加熱蒸気が供給されることで、該内金型４上に外嵌合された状態のベルトスラブ３を加熱加硫するようになっている。
【００２７】
上記外金型５の内周には、ベルトスラブ３の外周面を所定の形状に形成するための成形面が設けられている。この外金型５は、周方向において複数個の分割金型５ａ，５ａ，…に分割されていて、これら分割金型５ａ，５ａ，…を、周方向に相隣る分割金型５ａ，５ａ同士が接続するように半径方向内方に移動させるとにより上記内金型４上のベルトスラブ３を半径方向に挟圧して該ベルトスラブ３を所定形状に成形するようになされている。
【００２８】
そして、本実施形態では、上記の外金型５の分割金型５ａ，５ａ，…は、周方向に相隣る分割金型５ａ，５ａが互いに接続したときの各接続部に半径方向においてそれぞれ対応するベルトスラブ３上の複数の不均一部位間のベルト周長方向における全ての隣接間隔寸法Ｌと、上記のベルトスラブ３から得られる伝動ベルト２に組み合わせて使用されるプーリ１のプーリピッチ周長Ｌｐとが互いに異なる（Ｌ≠Ｌｐ）ように設けられている。
【００２９】
具体的には、外金型５は、周方向において等分に分割されており、この外金型５の分割金型５ａ，５ａ，…の個数Ｚは、伝動ベルト２のベルトピッチ周長（ベルトピッチラインＰｂ上での周長）Ｌｂをプーリ１のプーリピッチ周長Ｌｐで除算して得られた値（Ｌｂ／Ｌｐ）に最も近い整数Ｍ（Ｍ≒Ｌｂ／Ｌｐ）を除く整数（Ｚ≠Ｍ）に定められている。
【００３０】
具体例を挙げて説明すると、伝動ベルト２のベルトピッチ周長Ｌｂが、Ｌｂ＝７４７〔ｍｍ〕であり、プーリ１のピッチ径φが、φ＝８０〔ｍｍ〕であって、そのプーリピッチ周長Ｌｐが、Ｌｐ＝８０π〔ｍｍ〕であるとすると、このときの除算値（Ｌｂ／Ｌｐ）は、
Ｌｂ／Ｌｐ＝７４７／８０π＝２．９７....
であるので、この除算値に最も近い整数Ｍは、Ｍ＝３である。
【００３１】
一方、分割金型５ａ，５ａ，…の個数Ｚについては、外金型５の分割数が少ないと、ベルトスラブを均一に加圧することが難しく、また、ベルトスラブ外周面の成形形状によっては型抜きが困難であることから、３以上（Ｚ≧３）であることが望ましい。
【００３２】
よって、分割金型５ａ，５ａ，…の個数Ｚは、４以上の整数（Ｚ＝４，５，６，…）となり、それにより、伝動ベルト２上の不均一部位による異音と、プーリ１の回転に伴う振動騒音との共振は回避されることになる。
【００３３】
したがって、本実施形態によれば、外金型５が周方向において複数個の分割金型５ａ，５ａ，…に分割されてなる分割式ベルトスラブ成形型において、この分割式ベルトスラブ成形型により成形されたベルトスラブ３から得られる伝動ベルト２の不均一部位間の隣接間隔寸法Ｌと、伝動ベルト２に組み合わせて使用されるプーリ１のプーリピッチ周長Ｌｐとが互いに異なる（Ｌ≠Ｌｐ）ように外金型５の分割数Ｚを定めることができるので、伝動ベルト２がプーリ１上を走行する際に、伝動ベルト２の不均一部位がプーリ１を通過することによる周期的な異音の発生周期と、プーリ１の回転に伴う振動騒音の周期とが共振するのを回避することができ、よって、そのような共振によるベルト走行時の騒音を低減することができるとともに、そのような共振によるベルト寿命の低下を抑制することができる。
【００３４】
尚、上記の実施形態１では、伝動ベルト２に組み合わせて使用するプーリ１の数が２つであって、その２つのプーリ１，１の各プーリピッチ周長Ｌｐが互いに同じである場合について説明しているが、伝動ベルト２に組み合わせて使用するプーリの数は任意であり、また、プーリピッチ周長の互いに異なる複数のプーリを対象プーリとする場合には、各プーリ毎に分割金型５ａ，５ａ，…の個数Ｚについての条件を算出し、しかる後、それら全ての条件を満たす整数値を求めるようにすればよい。
【００３５】
（実施形態２）
図３は、本発明の実施形態に係るベルトスラブ成形型を用いて成形されたベルトスラブから得られた伝動ベルト２と、各々、プーリピッチ周長Ｌｐが可変である２つの変速プーリ１０，１０とを備えたベルト式無段変速装置の全体構成を模式的に示している。尚、実施形態１の場合と同じ部分には同じ符号を付して示しており、上記のベルトスラブ成形型の外金型５は、実施形態１の場合と同じく、周方向において等分に分割されている。また、２つの変速プーリ１０，１０の各プーリピッチ周長Ｌｐの可変範囲は、互いに同じである。
【００３６】
そして、本実施形態では、外金型５の分割金型５ａ，５ａ，…の個数Ｚは、次の２つの条件式に示されるように、伝動ベルト２のベルトピッチ周長Ｌｂを、変速プーリ１０の最大プーリピッチ周長Ｌｐmax で除算して得られる値（Ｌｂ／Ｌｐmax ）と、最小プーリピッチ周長Ｌｐmin で除算して得られる値（Ｌｂ／Ｌｐmin ）との間の範囲（Ｌｂ／Ｌｐmax 〜Ｌｂ／Ｌｐmin ）以外の整数に定められている。
【００３７】
Ｚ＜Ｌｂ／Ｌｐmax ）
Ｚ＞Ｌｂ／Ｌｐmin ）
ここで、２つの具体例を挙げて説明すると、先ず、具体例１として、伝動ベルト２のベルトピッチ周長Ｌｂが、Ｌｂ＝６５５〔ｍｍ〕であり、各変速プーリ１０のピッチ径φの可変範囲が、５５〔ｍｍ〕≦φ≦８０〔ｍｍ〕であって、最大プーリピッチ周長Ｌｐmax が、Ｌｐmax ＝８０πであり、最小プーリピッチ周長Ｌｐmin が、Ｌｐmin ＝５５πであるときには、上記のＬｂ／Ｌｐmax およびＬｂ／Ｌｐmin は、それぞれ、
Ｌｂ／Ｌｐmax ＝６５５／８０π≒２．６１
Ｌｂ／Ｌｐmin ＝６５５／５５π≒３．７９
となるので、これらの条件式を満たす解は、３以外の整数である。一方、外金型５の分割数Ｚとしては、一般に、３以上（Ｚ≧３）が好ましい。よって、この場合の分割金型５ａ，５ａ，…の個数Ｚは、Ｚ≧４である。
【００３８】
次に、具体例２として、伝動ベルト２のベルトピッチ周長Ｌｂが、Ｌｂ＝７６０〔ｍｍ〕であり、各変速プーリ１０の最大プーリピッチ周長Ｌｐmax および最小プーリピッチ周長Ｌｐmin が、上記具体例１の場合と同じく、それぞれ、Ｌｐmax ＝８０πおよびＬｐmin ＝５５πであるときには、Ｌｂ／Ｌｐmax およびＬｂ／Ｌｐmin は、それぞれ、
Ｌｂ／Ｌｐmax ＝７６０／８０π≒３．０２
Ｌｂ／Ｌｐmin ＝７６０／５５π≒４．４０
となるので、この場合の分割金型５ａ，５ａ，…の個数Ｚは、Ｚ＝３，Ｚ≧５である。ここで、上記のベルト式無段変速装置において、一方の変速プーリ１０が最大プーリピッチ周長Ｌｐmax になる変速比の頻度が低い場合や、その変速比のときの共振騒音が要求値を満たす場合には、Ｚ＝３，Ｚ≧５の条件にそのまま従って分割金型５ａ，５ａ，…の個数Ｚを定めてもよいが、全ての変速域における共振騒音を極力回避しようとする場合には、Ｚ＝３を避けて、Ｚ≧５を採用することになる。
【００３９】
したがって、本実施形態によれば、各々、プーリピッチ周長Ｌｐが可変である２つの変速プーリ１０，１０に巻き掛けられてベルト式無段変速装置を構成する伝動ベルト２の製造過程において、その伝動ベルト２を得るためのベルトスラブ３を所定形状に成形するための分割式ベルトスラブ成形型の外金型５の分割金型５ａ，５ａ，…の個数Ｚを、伝動ベルト２のベルトピッチ周長Ｌｂを、変速プーリ１０の最大プーリピッチ周長Ｌｐmax で除算して得られる値（Ｌｂ／Ｌｐmax ）と、最小プーリピッチ周長Ｌｐmin で除算して得られる値（Ｌｂ／Ｌｐmin ）との間の範囲以外の整数に定めることで、外金型５の周方向に相隣る分割金型５ａ，５ａ同士の接続部に半径方向においてそれぞれ対応するベルトスラブ３上の複数の不均一部位間のベルト周長方向における全ての隣接間隔寸法Ｌと、各変速プーリ１０のベルトピッチ周長（Ｌｐmin 〜Ｌｐmax ）とを異ならせることができるので、伝動ベルト２の走行時に、各不均一部位が変速プーリ１０，１０をそれぞれ通過する際に生じるベルト走行音と、各変速プーリ１０の回転騒音との共振を、全ての変速比において回避することができる。
【００４０】
尚、上記の実施形態２では、伝動ベルト２に組み合わせて使用する変速プーリ１０の数が２つであって、その２つの変速プーリ１０，１０の各プーリピッチ周長Ｌｐの最大値Ｌｐmax 同士および最小値Ｌｐmin 同士がそれぞれ互いに同じである場合について説明しているが、伝動ベルト２に組み合わせて使用する変速プーリの数は任意であり、また、プーリピッチ周長の可変範囲の異なる複数の変速プーリを対象プーリとする場合には、各変速プーリ毎に分割金型５ａ，５ａ，…の個数Ｚについての条件を算出し、しかる後、それら全ての条件を満たす整数値を求めるようにすればよい。
【００４１】
また、上記の実施形態１および実施形態２では、外金型５が周方向において等分に分割されている場合について説明しているが、図４に示す本発明の実施形態３のように、外金型５を周方向において不等分に分割するようにしてもよい。
【００４２】
【発明の効果】
以上説明したように、請求項１の発明によれば、内型と、複数の分割型に分割されてなる外型とを備え、所定形状のベルトスラブを成形するために用いられる分割式ベルトスラブ成形型を設計するに当り、外型の分割型間の各接続部により生じるベルトスラブ上の不均一部位間のベルト周長方向における全ての隣接間隔寸法を、上記ベルトスラブから得られる伝動ベルトに組み合わせて使用されるプーリのプーリピッチ周長と異ならせることができるので、上記伝動ベルトの走行時に、伝動ベルト上の不均一部位により発生する異音と、プーリの回転に伴う振動騒音との共振を回避することができ、よって、そのような共振によるベルト走行騒音を低減することができるとともに、そのような共振によるベルト寿命の低下を抑制することができる。
【００４３】
請求項２の発明によれば、外型が等分に分割されるものである場合に、上記請求項１の発明による効果が得られるように分割型の個数を定めることができるので、請求項１の発明による効果を容易に得ることができる。
【００４４】
請求項３の発明によれば、外型が等分に分割されるとともに、ベルトスラブから得られる伝動ベルトが、変速プーリと組み合わせて使用されるものである場合に、上記請求項１の発明による効果が得られるように分割型の個数を定めることができるので、この場合にも、請求項１の発明による効果を容易に得ることができる。
【００４５】
請求項４の発明によれば、上記の外型を周方向において不等分に分割することでベルトスラブ上の不均一部位間の隣接間隔寸法を互いに異ならせることができるので、請求項１の発明による共振回避に加え、不均一部位の隣接間隔寸法が一定であることに起因するベルト走行時の周期的な異音の発生を回避することができ、よって、ベルト走行騒音の低減およびベルト寿命低下の抑制に寄与することができる。
【図面の簡単な説明】
【図１】  本発明の実施形態１に係る分割式ベルトスラブ成形型の全体構成を模式的に示す横断平面図である。
【図２】  ベルト伝動装置の全体構成を模式的に示す側面図である。
【図３】  本発明の実施形態２に係るベルト式無段変速装置の全体構成を模式的に示す側面図である。
【図４】  本発明の実施形態３に係る分割式ベルトスラブ成形型の全体構成を模式的に示す図１相当図である。
【符号の説明】
１  プーリ
２  伝動ベルト
３  ベルトスラブ
４  内金型（内型）
５  外金型（外型）
５ａ  分割金型（分割型）
１０  変速プーリ
【図１】
0003677265.tif 000002
【図２】
0003677265.tif 000003
【図３】
0003677265.tif 000004
【図４】
0003677265.tif 000005